(57)【要約】【課題】周波数帯域が異なる複数の送信信号を同時に送信する際のアンテナ特性をより改善する。【解決手段】無線回路（１）は、周波数帯域が異なる複数の送信信号を１つの送信ラインで同時に出力する無線ＦＥＭ（１１）と、上記複数の送信信号の各々に対応する周波数帯域毎に設けられ、各周波数帯域におけるアンテナ（１０）とのインピーダンス整合をそれぞれ独立に調整する低帯域用アンテナチューナ（１６１）および高帯域用アンテナチューナ（１６２）と、を備える。【選択図】図１
2014154893.tif 000002
【特許請求の範囲】
【請求項１】
アンテナに接続された無線回路であって、
周波数帯域が異なる複数の送信信号を１つの送信ラインで同時に出力する送信信号出力部と、
上記複数の送信信号の各々に対応する周波数帯域毎に設けられ、各周波数帯域における上記アンテナとのインピーダンス整合をそれぞれ独立に調整する複数の可変整合手段と、を備えていることを特徴とする無線回路。
【請求項２】
上記複数の送信信号の各々における上記アンテナとのインピーダンス整合を評価する評価値をそれぞれ算出する算出手段と、
上記算出手段が算出した各評価値に応じて、上記複数の送信信号の各々における上記アンテナとのインピーダンス整合が改善するように、上記複数の可変整合手段を制御する制御手段と、を備えていることを特徴とする請求項１に記載の無線回路。
【請求項３】
上記アンテナは、上記複数の送信信号の各々に対応する周波数帯域毎に設けられた複数のアンテナエレメントを備えており、
各アンテナエレメントは、それぞれ、対応する周波数帯域で動作するとともに、当該周波数帯域における上記アンテナとのインピーダンス整合を調整する上記可変整合手段に接続されていることを特徴とする請求項１または２に記載の無線回路。
【請求項４】
各可変整合手段は、当該可変整合手段に対応する周波数帯域で動作する上記アンテナエレメントと上記送信信号出力部との間に、直列に接続されている、ことを特徴とする請求項３に記載の無線回路。
【請求項５】
上記送信信号出力部と上記複数の可変整合手段の各々との間に、上記複数の可変整合手段の各々に対し個々に接続するように配置された複数のフィルタを備え、
上記複数のフィルタの各々は、上記送信信号出力部が出力した複数の送信信号のうち、当該フィルタに接続する可変整合手段に対応する周波数帯域の送信信号のみを通過させる、ことを特徴とする請求項１から４の何れか１項に記載の無線回路。
【発明の詳細な説明】
【技術分野】
【０００１】
本発明は、無線回路に関するものである。
【背景技術】
【０００２】
近年、信号源側の出力インピーダンスと負荷側の入力インピーダンスとを自動的に整合して伝送効率を上げる自動整合回路が開発されている（特許文献１）。特許文献１には、信号源から負荷へ向かう進行波成分の信号と負荷からの反射波成分の信号とを検出すると共に、進行波成分の信号を基準に反射波成分の信号との位相差を検出し、当該位相差が所定角度の進みまたは遅れ成分を有するか否かを判定し、判定結果に基づき、πマッチ回路における信号源側に位置する可変のコンデンサと負荷側に位置する可変のコンデンサとの容量を増減して出力インピーダンスおよび入力インピーダンスを整合することが記載されている。
【先行技術文献】
【特許文献】
【０００３】
【特許文献１】特開２０１０−８７８４５号公報（２０１０年４月１５日公開）
【特許文献２】特表２００８−５０７９４２号公報（２００８年３月１３日公開）
【発明の概要】
【発明が解決しようとする課題】
【０００４】
しかしながら、上述のような従来技術では、周波数帯域が異なる複数の送信信号を同時に送信するとき、一方の帯域のアンテナ特性を改善すると、他方の帯域のアンテナ特性が劣化してしまう場合がある。したがって、一方の帯域のアンテナ特性が大きく改善し、他方の帯域のアンテナ特性が上記一方の帯域のアンテナ特性の改善度合いよりも小さく劣化した場合、全体のアンテナ特性が改善しているものの、十分なアンテナ特性を得られないという問題があった。
【０００５】
本発明は上記課題に鑑みてなされたものであり、周波数帯域が異なる複数の送信信号を同時に送信する際のアンテナ特性をより改善するための技術を提供することを主たる目的とする。
【課題を解決するための手段】
【０００６】
上記の課題を解決するために、本発明の一態様に係る無線回路は、アンテナに接続された無線回路であって、周波数帯域が異なる複数の送信信号を１つの送信ラインで同時に出力する送信信号出力部と、上記複数の送信信号の各々に対応する周波数帯域毎に設けられ、各周波数帯域における上記アンテナとのインピーダンス整合をそれぞれ独立に調整する複数の可変整合手段と、を備えていることを特徴としている。
【発明の効果】
【０００７】
本発明の一態様によれば、周波数帯域が異なる複数の送信信号を同時に送信する際のアンテナ特性をより改善するための技術を提供することができる。
【図面の簡単な説明】
【０００８】
【図１】本発明の実施形態１に係る無線回路の概略構成を示すブロックである。
【図２】本発明の実施形態２に係る無線回路の概略構成を示すブロックである。
【図３】本発明の実施形態３に係る無線回路の概略構成を示すブロックである。
【図４】本発明の実施形態４に係る無線回路の概略構成を示すブロックである。
【図５】本発明の実施形態５に係る無線回路の概略構成を示すブロックである。
【図６】本発明の実施形態６に係る無線回路の概略構成を示すブロックである。
【図７】本発明に係る低帯域用アンテナチューナの一例を示す図である。
【図８】本発明に係る高帯域用アンテナチューナの一例を示す図である。
【発明を実施するための形態】
【０００９】
〔実施形態１〕
以下、本発明の実施の形態について、詳細に説明する。以下では、本発明の実施の形態に係る無線回路について説明する。当該無線回路は、送信信号を処理するための無線回路（送信系無線回路）であり、無線装置に組み込まれ得る。
【００１０】
本発明の一実施形態において、無線回路１は、図１に示すように、アンテナ１０に接続されており、無線ＦＥＭ（Ｆｒｏｎｔ  Ｅｎｄ  Ｍｏｄｕｌｅ）（送信信号出力部）１１、信号取出し部１２、算出部（算出手段）１３、制御部１４、メモリ１５、アンテナチューナ１６および判断部１７を備えている。制御部１４は、アンテナチューナ制御部（制御手段）１４１を備えている。アンテナチューナ１６は、低帯域用アンテナチューナ（可変整合手段）１６１と高帯域用アンテナチューナ（可変整合手段）１６２とを備えている。
【００１１】
無線ＦＥＭ１１は、ＲＦＩＣおよびアンテナスイッチデュプレクサ等から構成される。無線ＦＥＭ１１は、周波数帯域が異なる複数の送信信号を１つの送信ラインで同時に出力するようになっており、各送信信号は、信号取出し部１２に供給される。本明細書において、無線ＦＥＭ１１は、低帯域および高帯域の２つの周波数帯域の送信信号を同時に出力する構成であるとするが、本発明はこれに限定されるものではない。
【００１２】
信号取出し部１２は、アンテナ１０を介して送信する送信信号の進行波およびアンテナ１０から反射された該送信信号の反射波を取り出す。具体的には、信号取出し部１２は、無線ＦＥＭ１１とアンテナチューナ１６との間に接続されており、送信信号の進行波および反射波を取り出し、当該進行波および反射波が算出部１３に入力されるように、算出部１３に接続されている。信号取出し部１２は、例えば、カプラ及び検波器などによって実現される。
【００１３】
算出部１３は、信号取出し部１２から入力された進行波および反射波を基に、送信信号におけるアンテナ１０の整合を評価する値（評価値）を算出する。具体的には、算出部１３は、送信信号のＶＳＷＲ（Ｖｏｌｔａｇｅ  Ｓｔａｎｄｉｎｇ  Ｗａｖｅ  Ｒａｔｉｏ：電圧定在波比）、送信電力レベルなどを算出する。なお、算出部１３が送信信号を評価するために算出する項目（評価値）はこれに限定されるものではない。
【００１４】
制御部１４は、無線回路１の各種構成を統括的に制御するものである。制御部１４は、アンテナチューナ１６を制御するアンテナチューナ制御部１４１を備えている。アンテナチューナ制御部１４１は、算出部１３が算出した送信信号の評価値と、メモリ１５に記録されているアンテナチューナ１６の可変容量素子の設定情報とに基づいて、複数の送信信号の各々におけるアンテナ１０とのインピーダンス整合が改善するように、アンテナチューナ１６を制御する。なお、メモリ１５に記録されている情報は、これに限定されるものではない。算出部１３が算出した送信信号の評価値（例えば、ＶＳＷＲ）は、アンテナ整合の指標として使用することができるため、当該評価値に応じて、複数の送信信号の各々におけるアンテナ１０の整合が改善するように、アンテナチューナ制御部１４１がアンテナチューナ１６の可変容量素子を制御することにより、アンテナ１０の特性を改善することができる。
【００１５】
アンテナ１０には、アンテナ１０とのインピーダンス整合を調整するアンテナチューナ１６が接続されている。アンテナチューナ１６は、複数の送信信号の各々に対応する周波数帯域毎に設けられ、各周波数帯域におけるアンテナ１０とのインピーダンス整合をそれぞれ独立に調整する複数の帯域用チューナ（可変整合手段）を有している。本実施形態では、図１に示すように、アンテナチューナ１６は、低帯域の送信信号に対しアンテナ１０とのインピーダンス整合を調整する低帯域用アンテナチューナ１６１と、高帯域の送信信号に対しアンテナ１０とのインピーダンス整合を調整する高帯域用アンテナチューナ１６２と、を有している。
【００１６】
また、アンテナチューナ１６は、可変容量素子により構成されている。可変容量素子は、ＭＥＭＳ（Ｍｉｃｒｏ  Ｅｌｅｃｔｒｏ  Ｍｅｃｈａｎｉｃａｌ  Ｓｙｓｔｅｍｓ）のように、機械的にコンデンサの容量を変えるものであってもよいし、例えば、ＢＳＴ形のようなバリキャップダイオードであってもよいし、スイッチによってパスを切り替えることにより整合を切り替えるものであってもよい。アンテナチューナ１６はこのような可変容量素子によって、アンテナ１０とのインピーダンス整合を調整することができる。但し、アンテナチューナ１６の構成はこれに限定されず、アンテナ１０とのインピーダンス整合を調整可能になっていればよい。
【００１７】
判断部１７は、算出部１３が算出した評価値に基づいて、整合調整を継続するか、終了するかを判断する。判断部１７は、例えば、特定の周波数帯域または全体におけるＶＳＷＲが所定の値以下である場合、整合調整を終了すると判断する。判断部１７は、判断結果を制御部１４に送信する。
【００１８】
（無線回路１の動作）
次に無線回路１の動作について説明する。まず、無線ＦＥＭ１１から同時に低帯域と高帯域の送信信号が送信されている状態での整合調整について、最初に低帯域、次に高帯域の順に整合調整する場合について説明する。整合調整は、以下のステップＬ１〜Ｌ６によって行われる。
ステップＬ１：信号取出し部１２が、無線ＦＥＭ１１から出力された送信信号の進行波および反射波を取り出す。
ステップＬ２：算出部１３が、信号取出し部１２が取り出した進行波および反射波を基に、評価値（例えば、ＶＳＷＲ、送信電力レベル等）を算出する。
ステップＬ３：算出部１３が算出した送信信号の評価値と、メモリ１５に記録されているアンテナチューナ１６の可変容量素子の設定情報とに基づいて、低帯域用アンテナチューナ１６１を用いて、低帯域についての整合調整を行う。このとき、低帯域用のチューナのみを用いていているため、チューナが動作しても高帯域のインピーダンスはほとんど変化しない。
ステップＬ４：信号取出し部１２が、整合調整後の送信信号の進行波および反射波を取り出す。
ステップＬ５：算出部１３が、信号取出し部１２が取り出した進行波および反射波を基に、評価値を算出する。
ステップＬ６：判断部１７が、整合調整を継続するか終了するかを判断し、継続すると判断された場合、ステップＬ３に戻る。終了すると判断された場合、低帯域の整合調整を終了し、高帯域の整合調整を行う。
【００１９】
上記ステップＬ１〜Ｌ６を行うことにより、低帯域の整合調整が行われる。これにより、低帯域において、アンテナ１０の特性を改善することができる。
【００２０】
次に、無線ＦＥＭ１１から同時に出力された送信信号のうち、周波数帯域が高帯域の送信信号についての整合調整は、以下のステップＨ１〜Ｈ６によって行われる。
ステップＨ１、Ｈ２：上述したステップＬ１、Ｌ２と同様の処理を行う。
ステップＨ３：算出部１３が算出した送信信号の評価値と、メモリ１５に記録されているアンテナチューナ１６の可変容量素子の設定情報とに基づいて、高帯域用アンテナチューナ１６２を用いて、高帯域についての整合調整を行う。このとき、高帯域用のチューナのみを用いていているため、チューナが動作しても低帯域のインピーダンスはほとんど変化しない。ステップＨ４、Ｈ５：上述したステップＬ４、Ｌ５と同様の処理を行う。
ステップＨ６：判断部１７が、整合調整を継続するか終了するかを判断し、継続すると判断された場合、ステップＨ３に戻る。終了すると判断された場合、高帯域の整合調整を終了する。
【００２１】
上記ステップＨ１〜Ｈ６を行うことにより、高帯域の整合調整が行われる。これにより、高帯域において、アンテナ１０の特性を改善することができる。
【００２２】
なお、本実施形態においては、低帯域の整合調整（ステップＬ１〜Ｌ６）後、高帯域の整合調整（ステップＨ１〜Ｈ６）が行われることについて説明を行ったが、本発明はこれに限定されるものではない。ステップＬ１〜Ｌ６は、ステップＨ１〜Ｈ６の後に行われてもよい。
【００２３】
このように、本実施形態における無線回路１において、複数の送信信号の各々に対応する周波数帯域毎に設けられた低帯域用アンテナチューナ１６１および高帯域用アンテナチューナ１６２は、送信信号出力部から同時に出力された複数の送信信号に対し、低帯域用アンテナチューナ１６１および高帯域用アンテナチューナ１６２のそれぞれに対応する周波数帯域におけるアンテナ１０とのインピーダンス整合をそれぞれ独立に調整することができる。これにより、無線回路１は、各周波数帯域において、アンテナ１０とのインピーダンス整合を好適に調整することができる。したがって、無線回路１は、周波数帯域が異なる複数の送信信号を同時に送信する際のアンテナ特性をより改善することができる。
【００２４】
〔実施形態２〕
本発明の他の実施形態について、詳細に説明する。なお、説明の便宜上、前記実施形態にて説明した部材と同じ機能を有する部材については、同じ符号を付記し、その説明を省略する。
【００２５】
本発明の一実施形態において、図２に示すように、無線回路２は、アンテナ２０に接続されており、無線ＦＥＭ１１、信号取出し部１２、算出部１３、制御部１４、メモリ１５、アンテナチューナ２６および判断部１７を備えている。アンテナ２０は、低帯域で動作する低帯域用アンテナ（アンテナエレメント）２０１と、高帯域で動作する高帯域用アンテナ（アンテナエレメント）２０２とを備えている。低帯域用アンテナ２０１および高帯域用アンテナ２０２は、低帯域用アンテナチューナ１６１および高帯域用アンテナチューナ１６２に、それぞれ直列に接続されている。
【００２６】
アンテナチューナ２６は、低帯域用アンテナチューナ１６１、高帯域用アンテナチューナ１６２、フィルタ２６３およびフィルタ２６４を備えている。低帯域用アンテナチューナ１６１および高帯域用アンテナチューナ１６２には、無線ＦＥＭ１１から１つ（１系統）の送信ライン（給電線路）で出力された送信信号が二股に分かれて、それぞれ異なる送信ラインで入力している。フィルタ２６３は、無線ＦＥＭ１１と低帯域用アンテナチューナ１６１との間に配置されており、フィルタ２６４は、無線ＦＥＭ１１と高帯域用アンテナチューナ１６２との間に配置されている。
【００２７】
フィルタ２６３およびフィルタ２６４は、例えば、バンドパスフィルタであり、複数の送信信号のうち、特定の周波数帯域のみが透過されるように構成されている。具体的には、フィルタ２６３は、低帯域のみを通過させ、フィルタ２６４は、送信信号のうち高帯域のみを通過させる。つまり、低帯域用のアンテナチューナが動作した場合、高帯域側のアンテナへの影響が高帯域用のフィルタにより遮断され、高帯域側のアンテナインピーダンスに影響を及ぼさないので、低帯域用チューナは低帯域についてのみ独立に動作することができる構成になっている。
【００２８】
これにより、上述した実施形態１におけるステップＬ３において、低帯域用アンテナチューナ１６１は、フィルタ２６３を通過した送信信号であって、当該低帯域用アンテナチューナ１６１に対応する周波数帯域の送信信号に対して、低帯域用アンテナ２０１とのインピーダンス整合を調整することができる。同様に、ステップＨ３において、高帯域用アンテナチューナ１６２は、フィルタ２６４を通過した送信信号であって、当該高帯域用アンテナチューナ１６２に対応する周波数帯域の送信信号に対して、高帯域用アンテナ２０２とのインピーダンス整合を調整することができる。つまり、低帯域用アンテナチューナ１６１および高帯域用アンテナチューナ１６２は、それぞれ、対応する周波数帯域以外の周波数帯域において、アンテナ２０とのインピーダンス整合を調整しないため、より好適に、周波数帯域が異なる複数の送信信号を同時に送信する際のアンテナ特性を改善することができる。
【００２９】
なお、本実施形態では、アンテナチューナ２６がフィルタ２６３およびフィルタ２６４を備える構成について説明を行ったが、アンテナチューナ２６は、フィルタ２６３およびフィルタ２６４を備えていなくてもよい。図２に示すように、低帯域用アンテナチューナ１６１および高帯域用アンテナチューナ１６２には、送信信号それぞれ異なる送信ラインで入力していることと、分岐から十分の距離をとることとが可能ならば、影響を変化の影響を十分に小さくすることができるため、フィルタ２６３およびフィルタ２６４が備えられていない場合であっても、例えば、低帯域用アンテナチューナ１６１が行う低帯域用アンテナ２０１とのインピーダンス整合調整が、高帯域用アンテナチューナ１６２が行う高帯域用アンテナ２０２とのインピーダンス整合調整に及ぼす影響を小さくすることができる。
【００３０】
〔実施形態３〕
本発明の他の実施形態について、詳細に説明する。なお、説明の便宜上、前記実施形態にて説明した部材と同じ機能を有する部材については、同じ符号を付記し、その説明を省略する。
【００３１】
図３に示すように、本実施形態に係る無線回路３は、実施形態２の無線回路２に対し、アンテナチューナ２６の代わりにアンテナチューナ３６を備える構成である。アンテナチューナ３６では、フィルタ２６３を通過した送信信号が、低帯域用アンテナ２０１と低帯域用アンテナチューナ１６１とに入力し、フィルタ２６４を通過した送信信号が、高帯域用アンテナ２０２と高帯域用アンテナチューナ１６２とに入力する構成となっている。また、低帯域用アンテナチューナ１６１および高帯域用アンテナチューナ１６２は、それぞれ、グランドに接続している。
【００３２】
このような構成であっても、上述した実施形態２と同等の動作をすることができるため、より好適に、周波数帯域が異なる複数の送信信号を同時に送信する際のアンテナ特性を改善することができる。
【００３３】
〔実施形態４〕
本発明の他の実施形態について、詳細に説明する。なお、説明の便宜上、前記実施形態にて説明した部材と同じ機能を有する部材については、同じ符号を付記し、その説明を省略する。
【００３４】
図４に示すように、本実施形態に係る無線回路４は、実施形態２の無線回路２に対し、アンテナチューナ２６の代わりにアンテナチューナ４６を備える構成である。
【００３５】
アンテナチューナ４６では、無線ＦＥＭ１１から１つの送信ラインで出力された送信信号が、それぞれ異なる送信ラインで、低帯域用アンテナ２０１、高帯域用アンテナ２０２、フィルタ２６３およびフィルタ２６４に入力している構成である。フィルタ２６３およびフィルタ２６４を通過した送信信号は、それぞれ、低帯域用アンテナチューナ１６１および高帯域用アンテナチューナ１６２に入力する。低帯域用アンテナチューナ１６１および高帯域用アンテナチューナ１６２は、それぞれ、グランドに接続している。
【００３６】
このような構成であっても、上述した実施形態２と同等の動作をすることができるため、より好適に、周波数帯域が異なる複数の送信信号を同時に送信する際のアンテナ特性を改善することができる。
【００３７】
〔実施形態５〕
本発明の他の実施形態について、詳細に説明する。なお、説明の便宜上、前記実施形態にて説明した部材と同じ機能を有する部材については、同じ符号を付記し、その説明を省略する。
【００３８】
本発明の一実施形態において、図５に示すように、無線回路５は、アンテナ１０に接続されており、無線ＦＥＭ１１、信号取出し部１２、算出部１３、制御部１４、メモリ１５、アンテナチューナ５６および判断部１７を備えている。アンテナチューナ５６は、低帯域用アンテナチューナ１６１、高帯域用アンテナチューナ１６２、フィルタ２６３およびフィルタ２６４を備えている。
【００３９】
アンテナチューナ５６では、無線ＦＥＭ１１から１つの送信ライン（給電線路）で出力された送信信号が、アンテナ１０、フィルタ２６３およびフィルタ２６４に入力している構成である。フィルタ２６３およびフィルタ２６４を通過した送信信号は、それぞれ、低帯域用アンテナチューナ１６１および高帯域用アンテナチューナ１６２に入力する。低帯域用アンテナチューナ１６１および高帯域用アンテナチューナ１６２は、それぞれ、グランドに接続している。
【００４０】
このような構成であっても、より好適に、周波数帯域が異なる複数の送信信号を同時に送信する際のアンテナ特性を改善することができる。
【００４１】
〔実施形態６〕
本発明の他の実施形態について、詳細に説明する。なお、説明の便宜上、前記実施形態にて説明した部材と同じ機能を有する部材については、同じ符号を付記し、その説明を省略する。
【００４２】
図６に示すように、本実施形態に係る無線回路６は、実施形態５の無線回路５に対し、アンテナチューナ５６の代わりにアンテナチューナ６６を備える構成である。アンテナチューナ６６は、低帯域用アンテナチューナ１６１、高帯域用アンテナチューナ１６２、フィルタ２６３、フィルタ２６４、フィルタ６６５およびフィルタ６６６を備えている。フィルタ６６５およびフィルタ６６６は、それぞれ、フィルタ２６３およびフィルタ２６４と同様の構成であるため、説明を省略する。
【００４３】
アンテナチューナ６６の低帯域用アンテナチューナ１６１および高帯域用アンテナチューナ１６２には、無線ＦＥＭ１１から１つ（１系統）の送信ライン（給電線路）で出力された送信信号が二股に分かれて、それぞれ異なる送信ラインで入力している。アンテナチューナ６６は、低帯域用アンテナチューナ１６１から出力され、フィルタ６６５を通過させた送信信号と、高帯域用アンテナチューナ１６２から出力され、フィルタ６６６を通過させた送信信号とを結合し、アンテナ１０に出力する。結合された送信信号はアンテナ１０に入力する。
【００４４】
上記構成によれば、さらに、周波数帯域が異なる複数の送信信号を同時に送信する際のアンテナ特性を改善することができる。
【００４５】
なお、上述した実施形態５および実施形態６におけるアンテナ１０は、アンテナ２０のように、各周波数帯域で動作する複数のアンテナエレメントを備える構成であってもよい。
【００４６】
〔低帯域用アンテナチューナ１６１および高帯域用アンテナチューナ１６２の具体例〕
次に、本発明に係る低帯域用アンテナチューナ１６１および高帯域用アンテナチューナ１６２の具体例について説明する。なお、説明の便宜上、前記実施形態にて説明した部材と同じ機能を有する部材については、同じ符号を付記し、その説明を省略する。
【００４７】
図７は、実施形態１〜６に係る低帯域用アンテナチューナ１６１の一例を示す図である。図７に示すように、低帯域用アンテナチューナ１６１には可変インダクタもしくは可変キャパシタの少なくともどちらか一方が使われており、可変キャパシタはシリーズ（直列）に、可変インダクタはシャント（並列）で使われている。これは、当該可変インダクタのインダクタンスをＬとすると、１／（２π×周波数×Ｌ）で表すことができ、当該可変キャパシタはキャパシタンスをＣとすると、１／（２π×周波数×Ｃ）によってあらわすことができるため、周波数が低いとき、アンテナとのインピーダンス整合を大きく調整することができるからである。
【００４８】
次に、高帯域用アンテナチューナ１６２の具体例について説明する。図８は、実施形態１〜６に係る高帯域用アンテナチューナ１６２の一例を示す図である。図８に示すように、高帯域用アンテナチューナ１６２には可変インダクタもしくは可変キャパシタの少なくともどちらか一方が使われており、可変キャパシタはシャントに、可変インダクタはシリーズに使われている。これは、当該可変キャパシタのキャパシタンスをＣとすると、２π×周波数×Ｃで表すことができ、当該可変インダクタのインダクタンスをＬとすると、２π×周波数×Ｌであらわすことができるため、周波数が高いとき、アンテナとのインピーダンス整合を大きく調整することができるからである。
【００４９】
〔ソフトウェアによる実現例〕
無線回路１〜６の制御ブロック（特に算出部１３および制御部１４）は、集積回路（ＩＣチップ）等に形成された論理回路（ハードウェア）によって実現してもよいし、ＣＰＵ（Central Processing Unit）を用いてソフトウェアによって実現してもよい。
【００５０】
後者の場合、無線回路１〜６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５１】
〔まとめ〕
本発明の態様１に係る無線回路は、アンテナに接続された無線回路であって、周波数帯域が異なる複数の送信信号を１つの送信ラインで同時に出力する送信信号出力部（無線ＦＥＭ１１）と、上記複数の送信信号の各々に対応する周波数帯域毎に設けられ、各周波数帯域における上記アンテナとのインピーダンス整合をそれぞれ独立に調整する複数の可変整合手段（低帯域用アンテナチューナ１６１、高帯域用アンテナチューナ１６２）と、を備えていることを特徴としている。
【００５２】
上記の構成によれば、複数の送信信号の各々に対応する周波数帯域毎に設けられた複数の可変整合手段の各々は、送信信号出力部から同時に出力された周波数帯域が異なる複数の送信信号のうち、当該可変整合手段に対応する周波数帯域の送信信号に対し、アンテナとのインピーダンス整合をそれぞれ独立に調整する。これにより、上記無線回路は、各周波数帯域において、アンテナとのインピーダンス整合を好適に調整することができる。したがって、上記無線回路は、周波数帯域が異なる複数の送信信号を同時に送信する際のアンテナ特性をより改善することができる。
【００５３】
本発明の態様２に係る無線回路は、上記態様１において、上記複数の送信信号の各々における上記アンテナとのインピーダンス整合を評価する評価値をそれぞれ算出する算出手段（算出部１３）と、上記算出手段が算出した各評価値に応じて、上記複数の送信信号の各々における上記アンテナとのインピーダンス整合が改善するように、上記複数の可変整合手段を制御する制御手段（アンテナチューナ制御部１４１）と、を備えていることが好ましい。
【００５４】
上記の構成によれば、上記算出手段は、複数の送信信号の各々における上記アンテナとのインピーダンス整合を評価する評価値をそれぞれ算出し、上記制御手段は、上記算出手段が算出した各評価値に応じて、上記複数の送信信号の各々における上記アンテナとのインピーダンス整合が改善するように、上記複数の可変整合手段を制御する。
【００５５】
したがって、上記無線回路は、周波数帯域が異なる複数の送信信号を同時に送信する際のアンテナ特性をより好適に改善することができる。
【００５６】
本発明の態様３に係る無線回路は、上記態様１または２において、上記アンテナが、上記複数の送信信号の各々に対応する周波数帯域毎に設けられた複数のアンテナエレメント（低帯域用アンテナ２０１、高帯域用アンテナ２０２）を備えており、各アンテナエレメントは、それぞれ、対応する周波数帯域で動作するとともに、当該周波数帯域における上記アンテナとのインピーダンス整合を調整する上記可変整合手段に接続されている構成であってもよい。
【００５７】
上記の構成によれば、複数の送信信号の各々に対応する周波数帯域で動作するアンテナエレメントが、各周波数帯域における上記アンテナとのインピーダンス整合を調整する上記可変整合手段に接続されている。したがって、上記複数の可変整合手段は、それぞれ、当該可変整合手段対応する周波数帯域で動作するアンテナエレメントとのインピーダンス整合を調整する。これにより、上記無線回路は、周波数帯域が異なる複数の送信信号を同時に送信する際のアンテナ特性をより好適に改善することができる。
【００５８】
本発明の態様４に係る無線回路は、上記態様３において、各可変整合手段が、当該可変整合手段に対応する周波数帯域で動作する上記アンテナエレメントと上記送信信号出力部との間に、直列に接続されている構成であってもよい。
【００５９】
上記の構成によれば、上記複数の可変整合手段のそれぞれは、当該可変整合手段に直列に接続されたアンテナエレメントとのインピーダンス整合を調整する。これにより、上記無線回路は、周波数帯域が異なる複数の送信信号を同時に送信する際のアンテナ特性をより好適に改善することができる。
【００６０】
本発明の態様５に係る無線回路は、上記態様１から４において、上記送信信号出力部と上記複数の可変整合手段の各々との間に、上記複数の可変整合手段の各々に対し個々に接続するように配置された複数のフィルタを備え、上記複数のフィルタの各々は、上記送信信号出力部が出力した複数の送信信号のうち、当該フィルタに接続する可変整合手段に対応する周波数帯域の送信信号のみを通過させる構成であってもよい。
【００６１】
上記の構成によれば、上記可変整合手段の各々に対し個々に接続するように配置された複数のフィルタの各々は、上記送信信号出力部が出力した複数の送信信号のうち、当該フィルタに接続する可変整合手段に対応する周波数帯域の送信信号のみを通過させる。これにより、上記複数の可変整合手段の各々は、当該可変整合手段に対応する周波数帯域において、アンテナとのインピーダンス整合をより好適に調整することができる。
【００６２】
本発明の態様６に係る無線回路は、上記態様３において、各可変整合手段が、当該可変整合手段に対応する周波数帯域で動作する上記アンテナエレメントに上記送信信号を入力する送信ラインから分岐し、グランドに接続するライン上に構成されている構成であってもよい。
【００６３】
上記の構成によれば、上記複数の可変整合手段のそれぞれは、当該可変整合手段に入力する送信ラインに接続されたアンテナエレメントとのインピーダンス整合を調整する。これにより、上記無線回路は、周波数帯域が異なる複数の送信信号を同時に送信する際のアンテナ特性をより好適に改善することができる。
【００６４】
本発明の態様７に係る無線回路は、上記態様１または２において、複数の可変整合手段の各々が、上記アンテナに送信信号を入力する送信ラインから分岐し、グランドに接続する複数のライン上にそれぞれ構成されている構成であってもよい。
【００６５】
本発明の態様８に係る無線回路は、上記態様５において、上記アンテナと上記複数の可変整合手段の各々との間に、上記可変整合手段の各々に対し個々に接続するように配置された複数のフィルタを備え、上記複数のフィルタの各々は、当該フィルタに接続する可変整合手段に対応する周波数帯域の送信信号のみを通過させる構成であってもよい。
【００６６】
上記構成によれば、さらに、周波数帯域が異なる複数の送信信号を同時に送信する際のアンテナ特性を改善することができる。
【００６７】
本発明の各態様に係る無線回路１〜６は、コンピュータによって実現してもよく、この場合には、コンピュータを無線回路１〜６が備える各手段として動作させることにより無線回路１〜６をコンピュータにて実現させる無線回路１〜６の制御プログラム、およびそれを記録したコンピュータ読み取り可能な記録媒体も、本発明の範疇に入る。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６９】
本発明は、無線装置の製造分野において利用することができる。
【符号の説明】
【００７０】
１〜６  無線回路
１０  アンテナ
１１  無線ＦＥＭ（送信信号出力部）
１２  信号取出し部
１３  算出部（算出手段）
１４  制御部
１４１  アンテナチューナ制御部（制御手段）
１５  メモリ
１６  アンテナチューナ
１６１  低帯域用アンテナチューナ（可変整合手段）
１６２  高帯域用アンテナチューナ（可変整合手段）
１７  判断部
２０  アンテナ
２０１  低帯域用アンテナ（アンテナエレメント）
２０２  高帯域用アンテナ（アンテナエレメント）
２６、３６、４６、５６  アンテナチューナ
２６３  フィルタ
２６４  フィルタ
６６  アンテナチューナ
６６５  フィルタ
６６６  フィルタ
【図１】
2014154893.tif 000003
【図２】
2014154893.tif 000004
【図３】
2014154893.tif 000005
【図４】
2014154893.tif 000006
【図５】
2014154893.tif 000007
【図６】
2014154893.tif 000008
【図７】
2014154893.tif 000009
【図８】
2014154893.tif 000010